(57)【要約】【課題】鍔部側にある、保持状態が解除されて自由となった巻線の始端部を、既に巻回されている巻線との絶縁性を確保しつつ巻回部側に容易に導くことができるスプール及びこのスプールを備えた電磁接触器を提供する。【解決手段】スプール４０は、巻線３７を巻く筒状の巻回部４１と、巻回部４１に巻回部４１に対して外側に突出するように設けられた鍔部４２と、鍔部４２の外周の一部に形成され、始端部３７ａが保持された巻線３７を案内する巻線案内溝４５と、巻線案内溝４５と巻回部４１とを連通するように鍔部４２に形成され、巻線案内溝４５に案内された巻線３７を巻回部４１側に導く連通溝４６と、巻線案内溝４５と巻回部４１との間に肉４７ａを残すように鍔部４２に形成され、保持状態が解除された巻線３７の始端部３７ａを巻線案内溝４５から巻回部４１側に導くためのスリット４７とを備えている。【選択図】図１０
2017199884.tif 000002
【特許請求の範囲】
【請求項１】
巻線を巻く筒状の巻回部と、
該巻回部に前記巻回部に対して外側に突出するように設けられた鍔部と、
該鍔部の外周の一部に形成され、始端部が保持された巻線を案内する巻線案内溝と、
該巻線案内溝と前記巻回部とを連通するように前記鍔部に形成され、前記巻線案内溝に案内された巻線を前記巻回部側に導く連通溝と、
前記巻線案内溝と前記巻回部との間に肉を残すように前記鍔部に形成され、保持状態が解除された前記巻線の始端部を前記巻線案内溝から前記巻回部側に導くためのスリットとを備えていることを特徴とするスプール。
【請求項２】
前記巻回部及び前記鍔部は、絶縁材からなることを特徴とする請求項１に記載のスプール。
【請求項３】
前記鍔部には、前記巻線の始端部を保持しておくための始端側突起が設けられていることを特徴とする請求項１又は２に記載のスプール。
【請求項４】
前記始端側突起は、前記鍔部と一体に形成されていることを特徴とする請求項３に記載のスプール。
【請求項５】
前記スリットは、前記連通溝と前記始端側突起との間に形成されることを特徴とする請求項３又は４に記載のスプール。
【請求項６】
前記鍔部には、前記巻線の終端部を保持しておくための終端側突起が設けられていることを特徴とする請求項１乃至５のいずれか一項に記載のスプール。
【請求項７】
前記終端側突起は、前記鍔部と一体に形成されていることを特徴とする請求項６に記載のスプール。
【請求項８】
前記鍔部には、前記巻回部側に導かれた前記巻線の始端部と前記巻回部に巻回された巻線とを絶縁する始端部用絶縁テープが貼着されることを特徴とする請求項１乃至７のうちいずれか一項に記載のスプール。
【請求項９】
請求項１乃至８のうちのいずれか一項に記載のスプールを備えていることを特徴とする電磁接触器。
【発明の詳細な説明】
【技術分野】
【０００１】
本発明は、スプール及びこのスプールを備えた電磁接触器に関する。
【背景技術】
【０００２】
一般に、電流路の開閉を行う電磁接触器、電磁リレー、電磁カウンタなどの電磁石装置には、励磁用の巻線を巻回したスプールを有するコイル装置が用いられる。
従来のこの種のスプールを有するコイル装置として、例えば、特許文献１に示すものが知られている。
特許文献１に示すコイル装置のスプールは、筒状の巻回部の両端部に一対の側鍔を有し、これら一対の側鍔の間の巻回部に中間鍔が設けられている。そして、スプールの一方の側鍔及び中間縁にはそれぞれ突起が設けられ、一方の側鍔に設けられた突起に一方の巻線の始端部を保持し、中間鍔に設けられた突起に他方の巻線の始端部を保持するようになっている。そして、一方の側鍔に設けられた突起に始端部が保持された一方の巻線が一方の側鍔と中間鍔との間に形成される巻回部の一方側に軸方向へ巻回され、中間鍔に設けられた突起に始端部が保持された他方の巻線が中間鍔と他方の側鍔との間に形成される巻回部の他方側に軸方向へ巻回される。そして、巻回終了後に、各突起が除去されるようになっている。
【０００３】
そして、各突起を除去した後、一方の巻線の終端部と他方の巻線の始端部とが電気的に接続される。
なお、各突起が設けられた一方の側鍔及び中間鍔の外周縁には、各突起に保持された各巻線を案内する溝が設けられるとともに、一方の側鍔及び中間鍔には、各溝と各巻回部とを連通する連通溝が設けられている。従って、一方の側鍔及び中間鍔に設けられた各突起に始端部が保持された各巻線を各巻回部に巻回する際には、当該各巻線を溝に導いてから数回巻回した後、当該各巻線を連通溝から各巻回部に導出するようにしている。
【先行技術文献】
【特許文献】
【０００４】
【特許文献１】特開昭５５−３６９７３号公報
【発明の概要】
【発明が解決しようとする課題】
【０００５】
しかしながら、この従来の特許文献１に示すスプールを有するコイル装置にあっては、以下の問題点があった。
即ち、一方の巻線の始端部及び他方の巻線の終端部については、各突起を除去した後、いかなるように処理するかについて特許文献１には何ら記載されていない。特に、一方の巻線の始端部については、その始端部を保持する一方の側鍔に設けられた突起が除去された後、一方の側鍔側でそのまま宙に浮いた状態となっており、非常に不安定な状態となっている。
【０００６】
この巻線の始端部が不安定な状態であると、当該巻線を巻回したスプールを有するコイル装置を電磁石装置に装着した際に、当該巻線の始端部が他の部材に絡まったり、他の金属部材に接触して短絡したりする不都合がある。
一方、特許文献１において、一方の側鍔側にある一方の巻線の始端部を、当該鍔部の内側、即ち一方の側鍔及び中間鍔との間に形成される巻回部の一方側に導き、そこに固定することにより、不安定状態を回避することができる。また、巻線の始端部を鍔部の内側に導くことにより、巻線の始端部がむき出しになることが回避される。このため、一方の巻線の始端部を巻回部の一方側に導くのが好ましい。
【０００７】
しかしながら、この一方の巻線の始端部を巻回部の一方側に導く際に、一方の側鍔の外周縁に形成された溝から巻ほどき、当該巻線の始端部を溝から連通溝を介して巻回部の一方側に導出することが考えられる。ここで、連通溝は、本来、始端部が保持された一方の巻線を巻回部の一方側に巻回する際に当該一方の巻線を溝から巻回部に導くものである。このため、保持状態が解除されて自由となった巻線の始端部を溝から連通溝を介して巻回部の一方側に導出する作業性が良好ではない。また、一方の巻線の始端部を連通溝を介して巻回部の一方側に導くと、この巻回部に既に巻回されている巻線と当該巻線の始端部とが短絡してしまうことがあり、電気的に好ましくない。
【０００８】
従って、本発明はこの問題点を解決するためになされたものであり、その目的は、鍔部側にある、保持状態が解除されて自由となった巻線の始端部を、既に巻回されている巻線との絶縁性を確保しつつ巻回部側に容易に導くことができるスプール及びこのスプールを備えた電磁接触器を提供することにある。
【課題を解決するための手段】
【０００９】
上記目的を達成するために、本発明の一態様に係るスプールは、巻線を巻く筒状の巻回部と、該巻回部に前記巻回部に対して外側に突出するように設けられた鍔部と、該鍔部の外周の一部に形成され、始端部が保持された巻線を案内する巻線案内溝と、該巻線案内溝と前記巻回部とを連通するように前記鍔部に形成され、前記巻線案内溝に案内された巻線を前記巻回部側に導く連通溝と、前記巻線案内溝と前記巻回部との間に肉を残すように前記鍔部に形成され、保持状態が解除された前記巻線の始端部を前記巻線案内溝から前記巻回部側に導くためのスリットとを備えていることを要旨とする。
【００１０】
また、本発明の別の態様に係る電磁接触器は、前述のスプールを備えていることを要旨とする。
【発明の効果】
【００１１】
本発明に係るスプール及び電磁接触器によれば、鍔部側にある、保持状態が解除されて自由となった巻線の始端部を、既に巻回されている巻線との絶縁性を確保しつつ巻回部側に容易に導くことができるスプール及びこのスプールを備えた電磁接触器を提供できる。
【図面の簡単な説明】
【００１２】
【図１】本発明の一実施形態に係る電磁接触器を示す断面図である。
【図２】図１の電磁接触器と電磁接触器を収容するケースとを分解して示す斜視図である。
【図３】図１の電磁接触器におけるスプールを左斜め上方から見た斜視図である。
【図４】図１の電磁接触器におけるスプールを左側下方から見た斜視図である。
【図５】図１の電磁接触器におけるスプールを前側下方から見た斜視図である。
【図６】図３乃至図５に示すスプールに巻線を巻回する方法を説明するものであり、当該スプールに絶縁テープを貼着した状態を示している。
【図７】図３乃至図５に示すスプールに巻線を巻回する方法を説明するものであり、図６に示す状態から巻線の始端部を始端側突起に仮保持し、巻線を巻回部の外周に巻回する途中の状態を示している。
【図８】図３乃至図５に示すスプールに巻線を巻回する方法を説明するものであり、図７に示す状態から巻線の巻回が終了し、巻線の終端部を終端側突起に仮保持した状態を示している。
【図９】図３乃至図５に示すスプールに巻線を巻回する方法を説明するものであり、図８に示す状態から巻線の外周に外周用絶縁テープを巻回した状態を示している。
【図１０】図３乃至図５に示すスプールに巻線を巻回する方法を説明するものであり、図９に示す状態から巻線の始端部を始端側突起から外して巻回部側に導いた状態を示している。
【図１１】図３乃至図５に示すスプールに巻線を巻回する方法を説明するものであり、図９に示す状態から巻線の終端部を終端側突起から外して巻回部側に導いた状態を示している。
【図１２】始端部用絶縁テープを使用しない実施例を示すものであり、始端部用絶縁テープを使用しないで巻線の始端部を始端側突起から外して巻回部側に導いた状態を示している。
【発明を実施するための形態】
【００１３】
以下、本発明の実施形態について図面を参照して説明する。
本発明の一実施形態に係る電磁接触器は、図１に示されており、電磁接触器１は、電流路を開閉するものであり、接点機構２と、接点機構２を駆動する電磁石ユニット３とを備えている。この電磁接触器１は、図２に示すケース７０内に収容されて、例えば制御盤などに取り付けられて使用される。
【００１４】
電磁接触器１における接点機構２は、図１に示すように、接点機構収容ケース４内に収容されており、接点機構収容ケース４は、金属製の角筒体５と、この角筒体５の上端を閉塞する平板状のセラミック製の絶縁基板６とを備えている。角筒体５は、下端部が後述する上部磁気ヨーク７の上面にシール接合されている。絶縁基板６には、一対の貫通孔６ａ、６ｂが左右方向に所定間隔をあけて形成されている。絶縁基板６の上面における貫通孔６ａ、６ｂの周囲及び絶縁基板６の下面における角筒体５が接触する位置には、メタライズ処理が施されている。以下、本明細書において、図１及び図２に矢印で示すように、図１における上側を「上」、下側を「下」、左側を「左」、右側を「右」、図２における左斜め手前側（図１において紙面に対して直交する手前側）を「前」、右斜め後側（図１において紙面に対して直交する奥側）を「後」として説明する。
【００１５】
接点機構２は、絶縁基板６に一対の第１導体部２１及び第２導体部２２を介して固定されている一対の第１固定接触子２３及び第２固定接触子第２４と、これら第１固定接触子２３及び第２固定接触子２４に対して接離可能に配置されている可動接触子２５とを備えている。第１導体部２１は、絶縁基板６の貫通孔６ａに挿通されて固定され、第２導体部２２は、絶縁基板６の貫通孔６ｂに挿通されて固定されている。
【００１６】
ここで、第１固定接触子２３は、導電体金属部からなる側面視Ｃ字形状の導電板であり、絶縁基板６の下面に沿って外側に延長する上板部２３ａと、上板部２３ａの外側端部から下方に延長する中間板部２３ｂと、中間板部２３ｂの下端部から上板部２３ａと平行に内側に延長する下板部２３ｃとを備えている。下板部２３ｃは、可動接触子２５の下方に延び、その上面に可動接触子２５の後述する第１可動接点２５ａが接触する第１固定接点２３ｄを備えている。
【００１７】
一方、第２固定接触子２４も、第１固定接触子２３と同様に、導電体金属部からなる側面視Ｃ字形状の導電板であり、絶縁基板６の下面に沿って外側に延長する上板部２４ａと、上板部２４ａの外側端部から下方に延長する中間板部２４ｂと、中間板部２４ｂの下端部から上板部２４ａと平行に内側に延長する下板部２４ｃとを備えている。下板部２４ｃは、可動接触子２５の下方に延び、その上面に可動接触子２５の後述する第２可動接点２５ｂが接触する第２固定接点２４ｄを備えている。
【００１８】
第１固定接触子２３及び第２固定接触子２４のそれぞれは、それぞれの下端面に突出形成されたピンを第１導体部２１及び第２導体部２２のそれぞれに固定することにより、第１導体部２１及び第２導体部２２のそれぞれに固定されている。ピンの第１導体部２１、第２導体部２２への固定方法としては、ろう付け、螺合等があげられる。
そして、可動接触子２５は、導電体金属を材料とした左右方向に長尺な導電板であり、第１固定接触子２３及び第２固定接触子２４内に両端部を配置するように配設されている。可動接触子２５の左端の下面には、第１固定接触子２３の第１固定接点２３ｄに接触する第１可動接点２５ａが設けられ、可動接触子２５の右端の下面には、第２固定接触子２４の第２固定接点２４ｄに接触する第２可動接点２５ｂが設けられている。可動接触子２５は、電磁石ユニット３の後述する可動プランジャ３３に結合されたシャフト３４に支持されている。
【００１９】
また、シャフト３４は、可動プランジャ３３の移動方向（上下方向）に長い丸棒状に形成されるともに、シャフト３４の上下方向略中央部には、フランジ部３４ａが外方に向けて突出形成されている。可動接触子２５は、その貫通孔をシャフト３６の上方から挿通してフランジ部３４ａ上に載置される。そして、シャフト３４の上方から接触スプリング３６ａを挿通し、接触スプリング３６ａで所定の付勢力を得るように接触スプリング３６ａの上端を固定部材３６ｂよって止める。
【００２０】
可動接触子２５は、釈放状態で、両端の第１可動接点２５ａ及び第２可動接点２５ｂがそれぞれ第１固定接触子２３の第１固定接点２３ｄ及び第２固定接触子２４の第２固定接点２４ｄのそれぞれと所定間隔を保って離間した状態となる。また、可動接触子２５は、投入位置で、両端の第１可動接点２５ａ及び第２可動接点２５ｂがそれぞれ第１固定接触子２３の第１固定接点２３ｄ及び第２固定接触子２４の第２固定接点２４ｄのそれぞれに、接触スプリング３６ａによる所定の接触力で接触するように設定されている。
【００２１】
また、電磁石ユニット３は、図１に示すように、側面から見てＵ字形状の下部磁気ヨーク３１を有し、この下部磁気ヨーク３１の底板部の中央部に固定鉄心３２が配置されている。そして、固定鉄心３２の外側に外周に巻線３７を巻回したスプール４０が配置されている。
スプール４０は、図１乃至図５に示すように、巻線３７を周囲に巻く円筒状の巻回部４１と、巻回部４１の軸方向（上下方向）の両端に巻回部４１に対して外側（前後方向及び左右方向の外側）に突出する第１鍔部（鍔部）４２及び第２鍔部４３とを備えている。スプール４０は、絶縁性の合成樹脂を成形することによって一体に形成される。
【００２２】
ここで、第１鍔部４２は、巻回部４１の上端に配置され、巻回部４１に対して前後方向及び左右方向に突出する、前面４２ａ、後面４２ｂ、左面４２ｃ及び右面４２ｄを有する矩形板状に形成される。
第１鍔部４２は、第２鍔部４３よりもやや板厚が厚く形成され、前面４２ａの左右中央よりやや右寄りの位置には始端側突起４８ａが設けられている。始端側突起４８ａは、絶縁性の合成樹脂（絶縁材）からなる巻回部４１、第１鍔部４２及び第２鍔部４３と一体に形成されている。この始端側突起４８ａは、第１鍔部４２の上面より上方に突出するように形成され、巻線３７を巻回部４１に巻く際に巻線３７の始端部３７ａ（図７参照）を一時的に保持する機能を有する。つまり、始端側突起４８ａは、巻線３７を巻回部４１に巻く際に巻線３７の始端部３７ａを一旦保持し、その後、巻線３７の始端部３７ａの始端側突起４８ａに対する保持状態が解除される。
【００２３】
また、第２鍔部４３の後面４３ｂの、始端側突起４８ａと前後対称位置には、終端側突起４８ｂが設けられている。終端側突起４８ｂも、絶縁性の合成樹脂（絶縁材）からなる巻回部４１、第１鍔部４２及び第２鍔部４３と一体に形成されている。この終端側突起４８ｂは、第１鍔部４２の上面より上方に突出するように形成され、巻線３７を巻回部４１に巻く際に巻線３７の終端部３７ｂ（図８参照）を一時的に保持する機能を有する。つまり、終端側突起４８ｂは、巻線３７を巻回部４１に巻く際に巻線３７の終端部３７ｂを一旦保持し、その後、巻線３７の終端部３７ｂの終端側突起４８ｂに対する保持状態が解除される。
【００２４】
そして、第１鍔部４２の前面４２ａであって始端側突起４８ａよりも左側の位置には、巻線案内溝４５が形成されている。巻線案内溝４５は、図５に示すように、その入り口が始端側突起４８ａから左方向に所定長さだけ延びて前側に開口し、後側に向けて徐々に左右方向の幅が狭くなるように下側から見て三角形状になるように第１鍔部４２に形成されている。巻線案内溝４５の下側は、第１鍔部４２の肉が残されている。巻線案内溝４５は、巻線３７を巻回部４１の周囲に巻く際に、始端部３７ａが始端側突起４８ａに保持された巻線３７が入り込み、巻線３７を巻回部４１側（正確には、連通溝４６側）に案内する機能を有する。
【００２５】
また、第１鍔部４２には、巻線案内溝４５と巻回部４１とを連通させる連通溝４６が形成されている。連通溝４６は、図５に示すように、右側方で巻線案内溝４５の左端部と連通し、第１鍔部４２の前面４２ａから巻回部４１に至るまで第１鍔部４２を切り欠いて形成される。そして、連通溝４６は、巻線３７を巻回部４１の周囲に巻く際に始端部３７ａが始端側突起４８ａに保持されて巻線案内溝４５に入り込んだ巻線３７を巻回部４１側に巻回部４１側に導く機能を有する。
【００２６】
また、第１鍔部４２の連通溝４６と始端側突起４８ａとの間には、図４及び図５に示すように、巻線案内溝４５と巻回部４１との間に肉４７ａを残すように形成されたスリット４７が設けられている。このスリット４７は、第１鍔部４２の前面４２ａから巻回部４１に向けて（後側に向けて）第１鍔部４２の巻線案内溝４５の下側の部分を切り欠いて形成され、巻回部４１側の端（後端）が巻回された巻線３７の外周と被らない大きさに設定される。このスリット４７は、始端側突起４８ａから巻ほどかれて保持状態が解除されて自由となった巻線３７の始端部３７ａを巻線案内溝４５から巻回部４１側に導く機能を有する。
【００２７】
また、第２鍔部４３は、巻回部４１の下端に配置され、巻回部４１に対して前後方向及び左右方向に突出する、前面４３ａ、後面４３ｂ、左面４３ｃ及び右面４３ｄを有する矩形板状に形成される。
更に、スプール４０の中心には、上下方向に貫通する貫通孔４４が形成されている。この貫通孔４４の内側に図１に示すように固定鉄心３２が配置されるように、巻線３７を巻回したスプール４０は下部磁気ヨーク３１の内側に配置される。スプール４０の外周に巻線３７を巻回する方法については後に詳細に説明する。
【００２８】
なお、巻線３７の始端部３７ａには、図２に示すように、金属製のタブ端子８０ａが電線Ｗａを介して接続され、巻線３７の終端部３７ｂには、金属製のタブ端子８０ｂが電線Ｗｂを介して接続される。これらタブ端子８０ａ，８０ｂには、図示しない電源に接続された圧着端子あるいは裸電線が接続されるようになっている。
そして、下部磁気ヨーク３１の上端には、板状の上部磁気ヨーク７が固定されている。この上部磁気ヨーク７の中央部には、可動プランジャ貫通孔７ａが形成されている。
【００２９】
また、スプール４０内側に配置された固定鉄心３２の上部には、有底筒状に形成されたキャップ８が配置され、このキャップ８の開放端に設けられた半径方向外側に突出するフランジ部８ａが、上部磁気ヨーク７の下面にシール接合されている。これにより、接点機構収容ケース４及びキャップ８が上部磁気ヨーク７の可動プランジャ貫通孔７ａ介して連通される密封した容器が形成されている。この密封した容器内には、アーク消弧用のガスが封入される。
【００３０】
そして、このキャップ８の内部には、シャフト３４の下方側に結合された可動プランジャ３３が上下方向に移動可能に収容されている。この可動プランジャ３３は、キャップ８の内部に上下方向に移動可能に収容される円筒部３３ａと、この円筒部３３ａの上端に設けられた半径方向外側に突出する周鍔部３３ｂとを備えている。可動プランジャ３３の円筒部３３ａは、上部磁気ヨーク７の可動プランジャ貫通孔７ａを上下方向に挿通し、可動プランジャ３３の周鍔部３３ｂは可動プランジャ貫通孔７ａよりも大きな外径を有して上部磁気ヨーク７の上方に配置されている。
【００３１】
可動プランジャ３３の円筒部３３ａには、その下端面から上方に延びる復帰スプリング収容凹部３３ｃが形成されている。キャップ８の底部と復帰スプリング収容凹部３３ｃの上端面との間には、可動プランジャ３３を上方に付勢する復帰スプリング３５が配設されている。
次に、電磁接触器１の動作を説明する。
【００３２】
今、第１固定接触子２３に接続された第１導体部２１が例えば大電流を供給する電力供給源に接続され、第２固定接触子２４に接続された第２導体部２２が負荷装置に接続されているものとする。
この状態で、電磁石ユニット３における巻線３７が非励磁状態にあって、電磁石ユニット３で可動プランジャ３３を下降させる励磁力を発生していない釈放状態にあるものとする。
【００３３】
この釈放状態では、可動プランジャ３３が復帰スプリング３５によって、上部磁気ヨーク７から離れる上方向に付勢される。
このため、可動プランジャ３３にシャフト３４を介して連結されている接点機構２の可動接触子２５の第１可動接点２５ａ及び第２可動接点２５ｂが、第１固定接触子２３の第１固定接点２３ｄ、第２固定接触子２４の第２固定接点２４ｄに対して上方に所定距離だけ離間している。このため、第１固定接触子２３及び第２固定接触子２４の間の電流路が遮断状態にあり、接点機構２が開極状態となっている。
【００３４】
この釈放状態から、電磁石ユニット３の巻線３７に通電すると、この電磁石ユニット３で励磁力が発生し、固定鉄心を介して可動プランジャ３３を復帰スプリング３５の付勢力に抗して下方に押し下げる。この可動プランジャ３３の下降が、周鍔部３３ｂの下面が上部磁気ヨーク７の上面に当たることで停止する。
このように、可動プランジャ３３が下降することにより、可動プランジャ３３にシャフト３４を介して連結されている可動接触子２５も下降し、接点機構２の可動接触子２５の第１可動接点２５ａ及び第２可動接点２５ｂのそれぞれが、第１固定接触子２３の第１固定接点２３ｄ及び第２固定接触子２４の第２固定接点２４ｄのそれぞれに対して接触スプリング３６ａの接触圧で接触する。
【００３５】
このため、電力供給源の大電流が、第１固定接触子２３、可動接触子２５、第２固定接触子２４を通じて負荷装置に供給される閉極状態となる。
そして、接点機構２の閉極状態から、負荷装置への電流供給を遮断する場合には、電磁石ユニット３の巻線３７への通電を停止する。
巻線３７への通電を停止すると、電磁石ユニット３で可動プランジャ３３を下方に移動させる励磁力がなくなることにより、可動プランジャ３３が復帰スプリング３５の付勢力によって上昇する。
【００３６】
可動プランジャ３３が上昇することにより、シャフト３４を介して連結された可動接触子２５が上昇する。これに応じて接触スプリング３６ａで接触圧を与えているときは、可動接触子２５の第１可動接点２５ａ及び第２可動接点２５ｂのそれぞれが、第１固定接触子２３の第１固定接点２３ｄ及び第２固定接触子２４の第２固定接点２４ｄのそれぞれに接触している。その後、接触スプリング３６ａの接触圧がなくなった時点で、可動接触子２５が第１固定接触子２３及び第２固定接触子２４から上方に離間する開極開始状態となる。
【００３７】
このような開極開始状態となると、可動接触子２５の第１可動接点２５ａ及び第２可動接点２５ｂと、第１固定接触子２３の第１固定接点２３ｄ及び第２固定接触子２４の第２固定接点２４ｄとの間にアークが発生し、アークによって電流の通電状態が継続されることになる。
このアークは、アークの電流の流れと、図示しないアーク消弧用永久磁石で発生した磁束との関係からフレミング左手の法則により発生したローレンツ力によって引き延ばされて消弧される。
【００３８】
そして、可動プランジャ３３の釈放動作が終了すると、開極終了となる。
なお、電磁接触器１を収容するケース７０は、図２に示すように、電磁接触器１を収容する下部ケース５０と、下部ケース５０に取り付けられて下部ケース５０に収容された電磁接触器１の上方を覆う上部ケース６０とからなっている。
下部ケース５０は、絶縁性の合成樹脂を成形することによって形成されるものであり、外壁を構成する前壁５１、後壁５２、左端壁５３、右端壁５４及び図示しない底壁を有する上側に開口した箱体である。そして、下部ケース５０の右端壁５４には、タブ端子８０ａを取り付ける端子取付部５６ａ及びタブ端子８０ｂを取り付ける端子取付部５６ｂが設けられている。また、下部ケース５０の左端壁５３及び右端壁５４には、制御盤などの被取付部（図示せず）への取り付け部５５が設けられている。
【００３９】
また、下部ケース５０に取り付けられる上部ケース６０は、絶縁性の合成樹脂を成形することによって形成されるものであり、前壁６１、後壁６２、左端壁６３、右端壁６４及び頂壁を有する下側に開口した箱体である。
次に、スプール４０の外周に巻線３７を巻回する方法について、図６乃至図１１及び図２を参照して説明する。
【００４０】
スプール４０の巻回部４１の外周に巻線３７を巻回するには、先ず、図６に示すように、スプール４０の第１鍔部４２の下面であってスリット４７を塞ぐ位置に始端部用絶縁テープ３８を貼着する。始端部用絶縁テープ３８は、図１０に示すように、巻線３７の巻回が終了して下方に曲げられたときに巻線外周用絶縁テープ３９の上側に重なるような大きさを有する矩形状に形成される。この始端部用絶縁テープ３８は、後述するが、保持状態が解除された巻線３７の始端部３７ａを巻線案内溝４５からスリット４７を介して巻回部４１側に導く際に巻線３７の始端部３７ａと巻回部４１に既に巻回された巻線３７とを絶縁する機能を有する。
【００４１】
次いで、図７に示すように、巻線３７の始端部３７ａを、スプール４０の始端側突起４８ａの周囲に巻き付けて一時的に保持し、巻線３７を巻線案内溝４５に入れ込んで連通溝４６を通して巻回部４１の周囲に巻回する。この際に、巻線３７の始端部３７ａをスプール４０の始端側突起４８ａの周囲に巻き付けて一時的に保持することにより、巻線３７の始端部３７ａを固定端として巻線３７に引張力を付与することができる。このため、巻線３７を巻回部４１の周囲に円滑に巻回することができる。従って、巻線３７の始端部３７ａをスプール４０に固定するテープなどの別の固定部材が不要になる。また、巻線３７の始端部３７ａを始端側突起４８ａに巻き付けるだけでよいので、その固定作業も容易となり、全自動による巻線も可能となる。
【００４２】
また、金属製の端子をスプール４０に固定し、その端子に巻線３７の始端部３７ａを保持することも考えられるが、その場合、金属部材を別に用意する必要があるとともに、その金属製の端子と他の導電性部材との絶縁をする必要がある。本実施形態の場合、始端側突起４８ａが絶縁材からなる巻回部４１、第１鍔部４２及び第２鍔部４３と一体に形成されているので、金属製の追加部品が必要なく、始端側突起４８ａと他の導電性部材との絶縁を考慮する必要はない。
【００４３】
そして、巻線３７を巻回部４１の周囲に予め決められた回数だけ巻回したら、図８に示すように、巻線３７の終端部３７ｂをスプール４０の終端側突起４８ｂに巻き付けて一時的に保持する。ここで、終端側突起４８ｂも絶縁材からなる巻回部４１、第１鍔部４２及び第２鍔部４３と一体に形成されているので、金属製の追加部品が必要なく、終端側突起４８ｂと他の導電性部材との絶縁を考慮する必要はない。
【００４４】
次いで、図９に示すように、巻回された巻線３７の周囲に巻線外周用絶縁テープ３９を巻回して貼着する。この巻線外周用絶縁テープ３９は、後述するが、巻線３７の終端部３７ｂと巻回部４１に既に巻回された巻線３７とを絶縁する機能を有する。
その後、図１０に示すように、巻線３７の始端部３７ａを始端側突起４８ａから外して保持状態を解除し、この始端部３７ａを巻線案内溝４５からスリット４７を介して巻回部４１側に導く。この際に、巻線３７の始端部３７ａを始端部用絶縁テープ３８の上から下方に折り曲げ、始端部用絶縁テープ３８を巻線外周用絶縁テープ３９上に重ねるとともに巻線３７の始端部３７ａを始端部用絶縁テープ３８上に重ねる。
【００４５】
ここで、巻線３７の始端部３７ａを巻線案内溝４５からスリット４７を介して巻回部４１側に導く際に、保持状態が解除された巻線３７の始端部３７ａを、始端部３７ａが保持されて巻線案内溝４５に案内された巻線３７を巻回部４１側に導く連通溝４６ではなく、保持状態が解除された巻線３７の始端部３７ａを巻線案内溝４５から巻回部４１側に導くためのスリット４７を介して巻回部４１側に導く。このため、第１鍔部４２側にある、保持状態が解除されて自由となった巻線３７の始端部３７ａを巻線案内溝４５からスリット４７を介して巻回部４１側に容易に導くことができる。
【００４６】
また、スリット４７は、巻線案内溝４５と巻回部４１との間に肉４７ａを残すように形成されている。スリット４７の巻回部４１側の端と巻回部４１との間に形成される肉４７ａの幅は巻回部４１に巻回された巻線３７の幅よりも大きく、スリット４７の巻回部４１側の端が巻回された巻線３７の外周と被らない大きさに設定される。このため、保持状態が解除された巻線３７の始端部３７ａスリット４７を介して巻回部４１側に導く際に、巻回部４１に既に巻回されている巻線３７と当該巻線３７の始端部３７ａとが短絡することを回避することができる。
【００４７】
従って、本実施形態に係るスプール４０及び電磁接触器１によれば、第１鍔部４２側にある、保持状態が解除されて自由となった巻線３７の始端部３７ａを、既に巻回されている巻線３７との絶縁性を確保しつつ巻回部４１側に容易に導くことができる。
なお、スリット４７は、第１鍔部４２における連通溝４６と始端側突起４８ａとの間に形成されるので、始端側突起４８ａから保持状態が解除された巻線３７の始端部３７ａを、連通溝４６に対し手前側のスリット４７を介して巻回部４１側により容易に導くことができる。
【００４８】
また、前述したように、第１鍔部４２には、保持状態が解除された巻線３７の始端部３７ａを巻線案内溝４５からスリット４７を介して巻回部４１側に導く際に巻線３７の始端部３７ａと巻回部４１に巻回された巻線３７とを絶縁する始端部用絶縁テープ３８が貼着される。つまり、巻線３７の始端部３７ａが始端部用絶縁テープ３８上に重ねられて巻線３７との絶縁が図られる。このため、巻線３７の始端部３７ａと既に巻回されている巻線３７との絶縁を確実なものとすることができる。
【００４９】
なお、本実施形態の場合、巻回された巻線３７の周囲に巻線外周用絶縁テープ３９が巻回して貼着され、その巻線外周用絶縁テープ３９の上に始端部用絶縁テープ３８、巻線３７の始端部３７ａが重ねられるので、巻線３７の始端部３７ａと既に巻回されている巻線３７との絶縁性をより一層向上させることができる。
その後、図１１に示すように、巻線３７の終端部３７ｂを終端側突起４８ｂから外して保持状態を解除し、この終端部３７ｂを巻線外周用絶縁テープ３９上に重ねる。これにより、巻線３７の終端部３７ｂと巻回部４１に既に巻回された巻線３７との絶縁性が確実に確保される。
【００５０】
ここで、終端側突起４８ｂも絶縁材からなる巻回部４１、第１鍔部４２及び第２鍔部４３と一体に形成されているので、金属製の追加部品が必要なく、終端側突起４８ｂと他の導電性部材との絶縁を考慮する必要はない。
次いで、図２に示すように、巻線３７の始端部３７ａに、タブ端子８０ａに接続された電線Ｗａを半田Ｓにより接続し、巻線３７の終端部３７ｂに、タブ端子８０ｂに接続された電線Ｗｂを半田（図示せず）により接続する。
【００５１】
最後に、図示はしないが、半田接続した巻線３７の始端部３７ａ及び終端部３７ｂを含む巻線３７の周囲に、別個の絶縁テープを貼着して巻線３７が外部に露出しないようにすることが好ましい。
ここで、始端側突起４８ａ及び終端側突起４８ｂは、巻線３７をスプール４０の巻回部４１の周囲に巻回した後も切断せずに残存したままにする。これら始端側突起４８ａ及び終端側突起４８ｂは、図２に示すように（図２には始端側突起４８ａのみ図示）、上部磁気ヨーク７の外周縁に形成された切欠７ｂに入り込んでスプール４０の周方向の位置決め機能を有する。
なお、タブ端子８０ａは、電磁接触器１をケース７０内に収容する際に、端子取付部５６ａに取り付けられ、タブ端子８０ｂは、端子取付部５６ｂに取り付けられる。
【００５２】
以上、本発明の実施形態について説明してきたが、本発明はこれに限定されずに種々の変更、改良を行うことができる。
例えば、巻回部４１の軸方向両端部に、第１鍔部４２と第２鍔部４３の２つの鍔部が設けられているが、巻回部４１に少なくとも１つの鍔部が設けられていればよく、１つでも３以上の鍔部が設けられていてもよい。鍔部は、巻回部４１の軸方向の端部に設けられる必要は必ずしもない。本実施形態の場合、鍔部が第１鍔部４２と第２鍔部４３の２つあり、第１鍔部４２のみに巻線案内溝４５、連通溝４６及びスリット４７が設けられている。巻線案内溝４５、連通溝４６及びスリット４７は、第１鍔部４２と第２鍔部４３の両方に設けてもよいし、第２鍔部４３のみに設けられてもよい。鍔部が３つ以上ある場合には、いずれか１つ以上の鍔部に巻線案内溝４５、連通溝４６及びスリット４７を設ければよい。
【００５３】
また、鍔部は、第１鍔部４２、第２鍔部４３とも矩形板状に形成されているが、その外形は円形であってもその他の多角形であってもよい。
また、巻線案内溝４５は、第１鍔部４２の前面４２ａに設けられているが、第１鍔部４２の外周の一部、即ち、前面４２ａ、後面４２ｂ、左面４２ｃ及び右面４２ｄのいずれか一つの面に設けられればよい。この場合、連通溝４６は、その巻線案内溝４５と巻回部４１とを連通するように第１鍔部４２に形成される。また、スリット４７は、その巻線案内溝４５と巻回部４１との間に肉を残すように第１鍔部４２に形成される。
【００５４】
また、始端側突起４８ａを第１鍔部４２に設けなくてもよい。この場合、巻線３７の始端部３７ａをテープ等の保持部材によって第１鍔部４２に保持するようにすればよい。これは、終端側突起４８ｂについても同様である。
また、始端側突起４８ａを第１鍔部４２に設ける場合、始端側突起４８ａを第１鍔部４２とは別部材としてもよい。この場合、始端側突起４８ａは、金属製であっても、樹脂製であっても、その他セラミックス製などの絶縁部材であってもよい。これは、終端側突起４８ｂについても同様である。
【００５５】
また、始端側突起４８ａは、第１鍔部４２の上面より上方に突出するように形成されているが、必ずしも当該上面より上方に突出するように形成されている必要はない。但し、始端部側突起４８ａを巻回部４１側に突出するように形成すると、突出した部分に巻線３７が絡むことにより巻線３７の巻回が不可能となるため、好ましくない。一方、始端側突起４８ａを第１鍔部４２から横方向に突出するように形成することは、巻線３７の巻回を妨げないので、可能である。
【００５６】
なお、本実施形態のように、始端側突起４８ａを、第１鍔部４２の上面より上方に突出して形成した場合と、始端側突起４８ａを第１鍔部４２から横方向に突出するように形成した場合とを問わず、コイル装置に極性（＋と−）があるときには巻線３７の始端部３７ａと終端部３７ｂとを見分ける必要がある。このため、本実施形態の場合のように、始端側突起４８ａを、第１鍔部４２の上面より上方に突出させた場合には、前述したように、始端側突起４８ａを上部磁気ヨーク７の外周縁に形成された切欠７ｂに入れ込んでスプール４０の周方向の位置決めを行う。一方、始端側突起４８ａを第１鍔部４２から横方向に突出させた場合には、下部ケース５０に突起や溝を形成することでスプール４０の組込み方向を一方向に指定する。
【００５７】
更に、第１鍔部４２には、図１２に示すように、保持状態が解除された巻線３７の始端部３７ａを巻線案内溝４５からスリット４７を介して巻回部４１側に導く際に巻線３７の始端部３７ａと巻回部４１に巻回された巻線３７とを絶縁する始端部用絶縁テープ３８を貼着しなくてもよい。この場合であっても、スリット４７は、巻線案内溝４５と巻回部４１との間に肉４７ａを残すように形成されているため、巻線３７の始端部３７ａと巻回部４１に巻回された巻線３７とが短絡するおそれは少ない。
【００５８】
また、巻回部４１は、筒状であれば、円筒状に限らず、四角筒状など多角筒状であってもよい。
また、スプール４０の巻回部４１の外周に巻線３７を巻回する際に、先ず、始端部用絶縁テープ３８をスプール４０の第１鍔部４２の下面に貼着しているが、始端部用絶縁テープ３８を貼着するタイミングは、巻線３７の始端部３７ａをスプール４０の始端側突起４８ａの周囲に巻き付けて一時的に保持した後であってもよい。この場合、巻線３７の始端部３７ａをスプール４０の始端側突起４８ａに巻き付けて一時的に保持し、始端部用絶縁テープ３８を第１鍔部４２の下面に貼着し、その後、巻線３７を巻線案内溝４５に入れ込んで連通溝４６を通して巻回部４１の周囲に巻回すればよい。
【符号の説明】
【００５９】
１  電磁接触器
３７  巻線
３７ａ  始端部
３７ｂ  終端部
３８  始端部用絶縁テープ
４０  スプール
４１  巻回部
４２  第１鍔部（鍔部）
４３  第２鍔部（鍔部）
４５  巻線案内溝
４６  連通溝
４７  スリット
４８ａ  始端側突起
４８ｂ  終端側突起
【図１】
2017199884.tif 000003
【図２】
2017199884.tif 000004
【図３】
2017199884.tif 000005
【図４】
2017199884.tif 000006
【図５】
2017199884.tif 000007
【図６】
2017199884.tif 000008
【図７】
2017199884.tif 000009
【図８】
2017199884.tif 000010
【図９】
2017199884.tif 000011
【図１０】
2017199884.tif 000012
【図１１】
2017199884.tif 000013
【図１２】
2017199884.tif 000014